【手続補正書】
【提出日】平成17年6月13日(2005.6.13)
【手続補正１】
【補正対象書類名】特許請求の範囲
【補正対象項目名】全文
【補正方法】変更
【補正の内容】
【特許請求の範囲】
【請求項１】
視聴者の構成員に対して、視聴者メータに、視聴者構成員識別子の入力の注意喚起を行う方法であって：
前記視聴者の構成員が、受信機の視聴者に含まれている確率の決定を行うこと；
前記視聴者の構成員が受信機の視聴者に含まれている確率が、スレッショルドより小さい場合に、前記視聴者の構成員に対して、前記視聴者構成員識別子の入力の注意喚起を行うこと；および、
前記視聴者の構成員が受信機の視聴者に含まれている確率が、前記スレッショルドより大きい場合に、前記視聴者の構成員の注意喚起を抑えること；
を含むことを特徴とする方法。
【請求項２】
請求項１記載の方法であって、前記注意喚起を抑えることが：
前記視聴者の構成員が受信機の視聴者に含まれている確率が、前記スレッショルドより大きい場合に、前記視聴者の構成員が、すでに、前記視聴者構成員識別子の入力を行っているか否かについての決定を行うこと；
前記視聴者の構成員が、まだ、前記視聴者構成員識別子の入力を行っていない場合に、前記視聴者の構成員に対して、前記視聴者構成員識別子の入力の注意喚起を行うこと；および、
前記視聴者の構成員が、すでに、前記視聴者構成員識別子の入力を行っている場合に、前記視聴者の構成員の注意喚起を抑えること；
を含むことを特徴とする方法。
【請求項３】
請求項１記載の方法であって、前記方法が、
以前の注意喚起の決定から、あらかじめ決定済みの量の時間が経過した後に限って実行されることを特徴とする方法。
【請求項４】
請求項３記載の方法であって、前記注意喚起を抑えることが：  
前記視聴者の構成員が、前記受信機の視聴者に含まれている確率が、前記スレッショルドより大きい場合に、前記視聴者の構成員が、すでに、前記視聴者構成員識別子の入力を行っているか否かについての決定を行うこと；
前記視聴者の構成員が、まだ、前記視聴者構成員識別子の入力を行っていない場合に、前記視聴者の構成員に対して、前記視聴者構成員識別子の入力の注意喚起を行うこと；および、
前記視聴者の構成員が、すでに、前記視聴者構成員識別子の入力を行っている場合に、前記視聴者の構成員の注意喚起を抑えること；
を含むことを特徴とする方法。
【請求項５】
請求項１記載の方法であって：
前記受信機がオンになったことを検出すると、前記視聴者の構成員に対して、前記視聴者構成員識別子の入力の初期注意喚起を行うこと；および、
前記方法が、前記初期注意喚起からあらかじめ決定済みの量の時間が経過した後に限って実行されること；
を含むことを特徴とする方法。
【請求項６】
請求項５記載の方法であって、前記注意喚起を抑えることが：
前記視聴者の構成員が受信機の視聴者に含まれている確率が、前記スレッショルドより大きい場合に、前記視聴者の構成員が、すでに、前記視聴者構成員識別子の入力を行っているか否かについての決定を行うこと；
前記視聴者の構成員が、まだ、前記視聴者構成員識別子の入力を行っていない場合に、前記視聴者の構成員に対して、前記視聴者構成員識別子の入力の注意喚起を行うこと；および、
前記視聴者の構成員が、すでに、前記視聴者構成員識別子の入力を行っている場合に、前記視聴者の構成員の注意喚起を抑えること；
を含むことを特徴とする方法。
【請求項７】
請求項１記載の方法であって、
前記視聴者の構成員が受信機の視聴者に含まれている確率の決定を行うことが、対応する時間帯の間に、前記視聴者の構成員が受信機の視聴者に含まれていた回数に基づいて、前記視聴者の構成員が受信機の視聴者に含まれている確率の決定を行うことを含むことを特徴とする方法。
【請求項８】
請求項７記載の方法であって、
前記視聴者の構成員が受信機の視聴者に含まれている確率の決定を行うことが、前記対応する時間帯の間に、前記受信機によって受信されている番組に基づいて、前記視聴者の構成員が受信機の視聴者に含まれている確率の決定を行うことを含むことを特徴とする方法。
【請求項９】
請求項７記載の方法であって、前記注意喚起を抑えることが：
前記視聴者の構成員が受信機の視聴者に含まれている確率が、前記スレッショルドより大きい場合に、前記視聴者の構成員が、すでに、前記視聴者構成員識別子の入力を行っているか否かについての決定を行うこと；
前記視聴者の構成員が、まだ、前記視聴者構成員識別子の入力を行っていない場合に、前記視聴者の構成員に対して、前記視聴者構成員識別子の入力の注意喚起を行うこと；および、
前記視聴者の構成員が、すでに、前記視聴者構成員識別子の入力を行っている場合に、前記視聴者の構成員の注意喚起を抑えること；
を含むことを特徴とする方法。
【請求項１０】
請求項７記載の方法であって、
前記方法が、以前の注意喚起の決定からあらかじめ決定済みの量の時間が経過した後に限って実行されることを特徴とする方法。
【請求項１１】
請求項１０記載の方法であって、前記注意喚起を抑えることが：
前記視聴者の構成員が受信機の視聴者に含まれている確率が、前記スレッショルドより大きい場合に、前記視聴者の構成員がすでに、前記視聴者構成員識別子の入力を行っているか否かについての決定を行うこと；
前記視聴者の構成員が、まだ、視聴者構成員識別子の入力を行っていない場合に、前記視聴者の構成員に対して、前記視聴者構成員識別子の入力の注意喚起を行うこと；および、
前記視聴者の構成員が、すでに、前記視聴者構成員識別子の入力を行っている場合に、前記視聴者の構成員の注意喚起を抑えること；
を含むことを特徴とする方法。
【請求項１２】
請求項７記載の方法であって：
前記受信機がオンになったことを検出すると、前記視聴者の構成員に対して、前記視聴者構成員識別子の入力の初期注意喚起を行うこと；および、
前記方法が、前記初期注意喚起からあらかじめ決定済みの量の時間が経過した後に限って実行されること；
を含むことを特徴とする方法。
【請求項１３】
請求項１２記載の方法であって、前記注意喚起を抑えることが：
前記視聴者の構成員が受信機の視聴者に含まれている確率が、前記スレッショルドより大きい場合に、前記視聴者の構成員が、すでに、前記視聴者構成員識別子の入力を行っているか否かについての決定を行うこと；
前記視聴者の構成員が、まだ、前記視聴者構成員識別子の入力を行っていない場合に、前記視聴者の構成員に対して、前記視聴者構成員識別子の入力の注意喚起を行うこと；および、
前記視聴者の構成員が、すでに、前記視聴者構成員識別子の入力を行っている場合に、前記視聴者の構成員の注意喚起を抑えること；
を含むことを特徴とする方法。
【請求項１４】
請求項１記載の方法であって：
視聴者識別データをテーブル内にストアすること；および、
前記テーブルが注意喚起の決定を行う上で不充分なデータを含む場合に、前記テーブルのコラプシングを行うこと；
を含むことを特徴とする方法。
【請求項１５】
請求項１４記載の方法であって、
前記テーブルの前記コラプシングに、前記視聴者構成員識別データの年齢に依存する重み付けが行われることを特徴とする方法。
【請求項１６】
視聴者の構成員に対して、視聴者メータに、視聴者構成員識別子の入力の注意喚起を行う方法であって：
前記視聴者の構成員が受信機の視聴者に含まれていた回数、および、前記受信機がオンとなった回数の関数として変数の決定を行うこと；
前記変数がスレッショルドより大きくない場合に、前記視聴者の構成員に対して、前記視聴者構成員識別子の入力の注意喚起を行うこと；および、
前記変数がスレッショルドより大きい場合に、前記視聴者の構成員の注意喚起を抑えること；
を含むことを特徴とする方法。
【請求項１７】
請求項１６記載の方法であって、
前記変数の決定を行うことが、あらかじめ決定済みの時間帯の間に、前記視聴者の構成員が受信機の視聴者に含まれていた回数、および、前記あらかじめ決定済みの時間帯の間に、前記受信機がオンとなった回数の関数として、前記変数の決定を行うことを含むことを特徴とする方法。
【請求項１８】
請求項１６に記載の方法であって、
前記変数の決定を行うことが、あらかじめ決定済みの量の時間にわたるあらかじめ決定済みの時間帯の間における、前記視聴者の構成員が受信機の視聴者に含まれていた回数、および、前記あらかじめ決定済みの量の時間にわたるあらかじめ決定済みの時間帯の間における、前記受信機がオンとなった回数の関数として、前記変数の決定を行うことを含むことを特徴とする方法。
【請求項１９】
請求項１６記載の方法であって、
前記変数の決定を行うことが、あらかじめ決定済みの量の時間の間における、前記視聴者の構成員が受信機の視聴者に含まれていた回数、および、前記あらかじめ決定済みの量の時間の間における、前記受信機がオンとなった回数の関数として、前記変数の決定を行うことを含むことを特徴とする方法。
【請求項２０】
請求項１６記載の方法であって、
前記変数の決定を行うことが、あらかじめ決定済みの時間帯ごと、およびＳＩＤごとの、前記視聴者の構成員が前記受信機の視聴者に含まれていた回数、および、前記あらかじめ決定済みの時間帯ごと、および、前記ＳＩＤごとの、前記受信機がオンとなった回数の関数として、前記変数の決定を行うことを含むことを特徴とする方法。
【請求項２１】
請求項１６記載の方法であって、
前記変数の決定を行うことが、あらかじめ決定済みの量の時間にわたるあらかじめ決定済みの時間帯ごと、およびＳＩＤごとの、前記視聴者の構成員が受信機の視聴者に含まれていた回数、および、前記あらかじめ決定済みの量の時間にわたる前記あらかじめ決定済みの時間帯ごと、および、前記ＳＩＤごとの、前記受信機がオンとなった回数の関数として、前記変数の決定を行うことを含むことを特徴とする方法。
【請求項２２】
請求項１６記載の方法であって、
前記変数の決定を行うことが、あらかじめ決定済みの量の時間の間におけるＳＩＤごとの、前記視聴者の構成員が受信機の視聴者に含まれていた回数、および、前記あらかじめ決定済みの量の時間の間におけるＳＩＤごとの、前記受信機がオンとなった回数の関数として、前記変数の決定を行うことを含むことを特徴とする方法。
【請求項２３】
請求項１６記載の方法であって、
前記変数の決定を行うことが、ＳＩＤごとの、前記視聴者の構成員が受信機の視聴者に含まれていた回数、および、前記ＳＩＤごとの、前記受信機がオンとなった回数の関数として、前記変数の決定を行うことを含むことを特徴とする方法。
【請求項２４】
請求項１６記載の方法であって、前記注意喚起を抑えることが：
前記視聴者の構成員が受信機の視聴者に含まれている確率の決定を行うこと；
前記視聴者の構成員が受信機の視聴者に含まれている確率が、スレッショルドより小さい場合に、前記視聴者の構成員に対して、前記視聴者構成員識別子の入力の注意喚起を行うこと；および、
前記視聴者の構成員が受信機の視聴者に含まれている確率が、前記スレッショルドより大きい場合に、前記視聴者の構成員の注意喚起を抑えること；
を含むことを特徴とする方法。
【請求項２５】
請求項２４記載の方法であって、前記視聴者の構成員が受信機の視聴者に含まれている確率が、前記スレッショルドより大きい場合に、前記視聴者の構成員の注意喚起を抑えることが：
前記視聴者の構成員が受信機の視聴者に含まれている確率が、前記スレッショルドより大きい場合に、前記視聴者の構成員が、すでに、前記視聴者構成員識別子の入力を行っているか否かについての決定を行うこと；
前記視聴者の構成員が、まだ、前記視聴者構成員識別子の入力を行っていない場合に、前記視聴者の構成員に対して、前記視聴者構成員識別子の入力の注意喚起を行うこと；および、
前記視聴者の構成員が、すでに、前記視聴者構成員識別子の入力を行っている場合に、前記視聴者の構成員の注意喚起を抑えること；
を含むことを特徴とする方法。
【請求項２６】
請求項２４記載の方法であって、
前記方法が、以前の注意喚起の決定からあらかじめ決定済みの量の時間が経過した後に限って実行されることを特徴とする方法。
【請求項２７】
請求項２６記載の方法であって、
前記視聴者の構成員が受信機の視聴者に含まれている確率が、前記スレッショルドより大きい場合に、前記視聴者の構成員の注意喚起を抑えることが：
前記視聴者の構成員が受信機の視聴者に含まれている確率が、前記スレッショルドより大きい場合に、前記視聴者の構成員が、すでに、前記視聴者構成員識別子の入力を行っているか否かについての決定を行うこと；
前記視聴者の構成員が、まだ、前記視聴者構成員識別子の入力を行っていない場合に、前記視聴者の構成員に対して、前記視聴者構成員識別子の入力の注意喚起を行うこと；および、
前記視聴者の構成員が、すでに、前記視聴者構成員識別子の入力を行っている場合に、前記視聴者の構成員の注意喚起を抑えること；
を含むことを特徴とする方法。
【請求項２８】
請求項２４記載の方法であって：
前記受信機がオンになったことを検出すると、前記視聴者の構成員に対して、前記視聴者構成員識別子の入力の初期注意喚起を行うこと；および、
前記方法が、前記初期注意喚起からあらかじめ決定済みの量の時間が経過した後に限って実行されること；
を含むことを特徴とする方法。
【請求項２９】
請求項２８記載の方法であって、前記視聴者の構成員が受信機の視聴者に含まれている確率が、前記スレッショルドより大きい場合に、前記視聴者の構成員の注意喚起を抑えることが：
前記視聴者の構成員が受信機の視聴者に含まれている確率が、前記スレッショルドより大きい場合に、前記視聴者の構成員が、すでに、前記視聴者構成員識別子の入力を行っているか否かについての決定を行うこと；
前記視聴者の構成員が、まだ、前記視聴者構成員識別子の入力を行っていない場合に、前記視聴者の構成員に対して、前記視聴者構成員識別子の入力の注意喚起を行うこと；および、
前記視聴者の構成員が、すでに、前記視聴者構成員識別子の入力を行っている場合に、前記視聴者の構成員の注意喚起を抑えること；
を含むことを特徴とする方法。
【請求項３０】
請求項２４記載の方法であって、
前記視聴者の構成員が受信機の視聴者に含まれている確率の決定を行うことが、対応する時間帯の間に、前記視聴者の構成員が受信機の視聴者に含まれていた回数に基づいて、前記視聴者の構成員が受信機の視聴者に含まれている確率の決定を行うことを含むことを特徴とする方法。
【請求項３１】
請求項３０記載の方法であって、
前記視聴者の構成員が受信機の視聴者に含まれている確率の決定を行うことが、前記対応する時間帯の間に、前記受信機によって受信されている番組に基づいて、前記視聴者の構成員が受信機の視聴者に含まれている確率の決定を行うことを含むことを特徴とする方法。
【請求項３２】
請求項３０記載の方法であって、前記視聴者の構成員が受信機の視聴者に含まれている確率が、前記スレッショルドより大きい場合に、前記視聴者の構成員の注意喚起を抑えることが：
前記視聴者の構成員が受信機の視聴者に含まれている確率が、前記スレッショルドより大きい場合に、前記視聴者の構成員が、すでに、前記視聴者構成員識別子の入力を行っているか否かについての決定を行うこと；
前記視聴者の構成員が、まだ、前記視聴者構成員識別子の入力を行っていない場合に、前記視聴者の構成員に対して、前記視聴者構成員識別子の入力の注意喚起を行うこと；および、
前記視聴者の構成員が、すでに、前記視聴者構成員識別子の入力を行っている場合に、前記視聴者の構成員の注意喚起を抑えること；
を含むことを特徴とする方法。
【請求項３３】
請求項３０記載の方法であって、
前記方法が、以前の注意喚起の決定からあらかじめ決定済みの量の時間が経過した後に限って実行されることを特徴とする方法。
【請求項３４】
請求項３３記載の方法であって、前記視聴者の構成員が受信機の視聴者に含まれている確率が、前記スレッショルドより大きい場合に、前記視聴者の構成員の注意喚起を抑えることが：
前記視聴者の構成員が受信機の視聴者に含まれている確率が、前記スレッショルドより大きい場合に、前記視聴者の構成員が、すでに、前記視聴者構成員識別子の入力を行っているか否かについての決定を行うこと；および、
前記視聴者の構成員が、まだ、前記視聴者構成員識別子の入力を行っていない場合に、前記視聴者の構成員に対して、前記視聴者構成員識別子の入力の注意喚起を行うこと；および、
前記視聴者の構成員が、すでに、前記視聴者構成員識別子の入力を行っている場合に、前記視聴者の構成員の注意喚起を抑えること；
を含むことを特徴とする方法。
【請求項３５】
請求項３０に記載の方法であって：
前記受信機がオンになったことを検出すると、前記視聴者の構成員に対して、前記視聴者構成員識別子の入力の初期注意喚起を行うこと；および、
前記方法が、前記初期注意喚起からあらかじめ決定済みの量の時間が経過した後に限って実行されること；
を含むことを特徴とする方法。
【請求項３６】
請求項３５記載の方法であって、前記視聴者の構成員が受信機の視聴者に含まれている確率が、前記スレッショルドより大きい場合に、前記視聴者の構成員の注意喚起を抑えることが：
前記視聴者の構成員が受信機の視聴者に含まれている確率が、前記スレッショルドより大きい場合に、前記視聴者の構成員が、すでに、前記視聴者構成員識別子の入力を行っているか否かについての決定を行うこと；
前記視聴者の構成員が、まだ、前記視聴者構成員識別子の入力を行っていない場合に、前記視聴者の構成員に対して、前記視聴者構成員識別子の入力の注意喚起を行うこと；および、
前記視聴者の構成員が、すでに、前記視聴者構成員識別子の入力を行っている場合に、前記視聴者の構成員の注意喚起を抑えること；
を含むことを特徴とする方法。
【請求項３７】
請求項２４記載の方法であって：
視聴者識別データをテーブル内にストアすること；および、
前記テーブルが注意喚起の決定を行う上で不充分なデータを含む場合に、前記テーブルのコラプシングを行うこと；
を含むことを特徴とする方法。
【請求項３８】
請求項３７記載の方法であって、
前記テーブルの前記コラプシングに、前記視聴者構成員識別データの年齢に依存する重み付けが行われることを特徴とする方法。
【請求項３９】
請求項１６記載の方法であって、
前記方法が、以前の注意喚起の決定からあらかじめ決定済みの量の時間が経過した後に限って実行されることを特徴とする方法。
【請求項４０】
請求項１６記載の方法であって：
前記受信機がオンになったことを検出すると、前記視聴者の構成員に対して、前記視聴者構成員識別子の入力の初期注意喚起を行うこと；および、
前記方法が、前記初期注意喚起からあらかじめ決定済みの量の時間が経過した後に限って実行されること；
を含むことを特徴とする方法。
【請求項４１】
請求項１６記載の方法であって、前記注意喚起を抑えることが：
前記変数が、前記スレッショルドより大きい場合に、前記変数が現在の人員のカウントに等しいか否かについての決定を行うこと；
前記変数が現在の人員のカウントに等しくない場合に、前記視聴者の構成員に対して、前記視聴者構成員識別子の入力の注意喚起を行うこと；および、
前記変数が現在の人員のカウントに等しい場合に、前記視聴者の構成員の注意喚起を抑えること；
を含むことを特徴とする方法。
【請求項４２】
請求項４１記載の方法であって、前記変数が現在の人員のカウントに等しい場合に、前記視聴者の構成員の前記注意喚起を抑えることが：
前記変数が現在の人員のカウントに等しい場合に、前記視聴者の構成員が受信機の視聴者に含まれている確率の決定を行うこと；
前記視聴者の構成員が受信機の視聴者に含まれている確率が、前記スレッショルドより小さい場合に、前記視聴者の構成員に対して、前記視聴者構成員識別子の入力の注意喚起を行うこと；および、
前記視聴者の構成員が受信機の視聴者に含まれている確率が、前記スレッショルドより大きい場合に、前記視聴者の構成員の注意喚起を抑えること；
を含むことを特徴とする方法。
【請求項４３】
請求項４２記載の方法であって、前記視聴者の構成員が受信機の視聴者に含まれている確率が、前記スレッショルドより大きい場合に、前記視聴者の構成員の注意喚起を抑えることが：
前記視聴者の構成員が受信機の視聴者に含まれている確率が、前記スレッショルドより大きい場合に、前記視聴者の構成員が、すでに、前記視聴者構成員識別子の入力を行っているか否かについての決定を行うこと；
前記視聴者の構成員が、まだ、前記視聴者構成員識別子の入力を行っていない場合に、前記視聴者の構成員に対して、前記視聴者構成員識別子の入力の注意喚起を行うこと；および、
前記視聴者の構成員が、すでに、前記視聴者構成員識別子の入力を行っている場合に、前記視聴者の構成員の注意喚起を抑えること；
を含むことを特徴とする方法。
【請求項４４】
視聴者の構成員に対して、視聴者メータに、視聴者構成員識別子の入力の注意喚起を行う方法であって：
間欠的な注意喚起イベントにおいて、前記視聴者の構成員に対して、前記視聴者構成員識別子の入力の注意喚起を行うこと；
各注意喚起イベントにおいて、過去の視聴者構成およびチャネル選択の癖を基礎として、前記視聴者の構成員が受信機の視聴者に含まれている尤度の決定を行うこと；および、
対応する注意喚起イベントにおいてなされた決定が、前記視聴者の構成員が受信機の視聴者に含まれているらしいとするものである場合に、前記視聴者の構成員の注意喚起を抑えること；
を含むことを特徴とする方法。
【請求項４５】
請求項４４に記載の方法であって、前記尤度の決定を行うことが、前記視聴者の構成員が受信機の視聴者に含まれている確率の決定を行うことを含み、かつそれにおいて注意喚起を抑えることが：
前記視聴者の構成員が受信機の視聴者に含まれている確率が、スレッショルドより小さい場合に、前記視聴者の構成員に対して、前記視聴者構成員識別子の入力の注意喚起を行うこと；および、
前記視聴者の構成員が受信機の視聴者に含まれている確率が、前記スレッショルドより大きい場合に、前記視聴者の構成員の注意喚起を抑えること；
を含むことを特徴とする方法。
【請求項４６】
請求項４５記載の方法であって、
前記確率の決定を行うことが、時間帯ごとに、前記視聴者の構成員が受信機の視聴者に含まれている確率の決定を行うことを含むことを特徴とする方法。
【請求項４７】
請求項４５記載の方法であって、
前記確率の決定を行うことが、ＳＩＤクラスごとに、前記視聴者の構成員が受信機の視聴者に含まれている確率の決定を行うことを含むことを特徴とする方法。
【請求項４８】
請求項４４記載の方法であって、
前記尤度の決定を行うことが、前記視聴者の構成員が受信機の視聴者に含まれていた回数、および、前記受信機がオンとなった回数の関数として変数の決定を行うことを含み、かつそれにおいて、前記注意喚起を抑えることが：
前記変数がスレッショルドより大きくない場合に、前記視聴者の構成員に対して前記視聴者構成員識別子の入力の注意喚起を行うこと；および、
前記変数がスレッショルドより大きい場合に、前記視聴者の構成員の注意喚起を抑えること；
を含むことを特徴とする方法。
【請求項４９】
請求項４８記載の方法であって、
前記変数の決定を行うことが、時間帯ごとに視聴者の構成員が受信機の視聴者に含まれていた回数、および、前記受信機がオンとなった回数の関数として変数の決定を行うことを含むことを特徴とする方法。
【請求項５０】
請求項４８記載の方法であって、
前記変数の決定を行うことが、ＳＩＤクラスごとに視聴者の構成員が受信機の視聴者に含まれていた回数、および前記受信機がオンとなった回数の関数として変数の決定を行うことを含むことを特徴とする方法。
【請求項５１】
請求項４８記載の方法であって、
前記変数がスレッショルドより大きい場合に、前記視聴者の構成員の注意喚起を抑えることが：
前記変数がスレッショルドより大きい場合に、前記変数が現在の人員のカウントに等しいか否かについての決定を行うこと；
前記変数が現在の人員のカウントに等しくない場合に、前記視聴者の構成員に対して、前記視聴者構成員識別子の入力の注意喚起を行うこと；および、
前記変数が現在の人員のカウントに等しい場合に、前記視聴者の構成員の注意喚起を抑えること；
を含むことを特徴とする方法。
【請求項５２】
請求項５１に記載の方法であって、前記変数が前記現在の人員のカウントに等しい場合に前記視聴者の構成員の前記注意喚起を抑えることが：
前記変数が前記現在の人員のカウントに等しい場合に、前記視聴者の構成員が受信機の視聴者に含まれている確率の決定を行うこと；
前記視聴者の構成員が受信機の視聴者に含まれている確率が、前記スレッショルドより小さい場合に、前記視聴者の構成員に対して、前記視聴者構成員識別子の入力の注意喚起を行うこと；および、
前記視聴者の構成員が受信機の視聴者に含まれている確率が、前記スレッショルドより大きい場合に、前記視聴者の構成員の注意喚起を抑えること；
を含むことを特徴とする方法。
【請求項５３】
請求項４４記載の方法であって、
前記間欠的な注意喚起イベントが、標準的には期間Ｔによって互いに離隔されており、前記方法が、さらに、前記注意喚起に対する以前の応答に応じて前記期間Ｔを変化させることを含むことを特徴とする方法。
【請求項５４】
視聴者の構成員に対して、視聴者メータに、視聴者構成員識別子の入力の注意喚起を行う方法であって：
ヒューリスティックを適用して、前記視聴者の構成員が受信機の視聴者に含まれているかについての決定を行うこと；
受信機の視聴者に含まれる視聴者の構成員をカウントしてカウントを提供すること；
前記ヒューリスティックが、前記視聴者の構成員が受信機の視聴者に含まれていないことを示しており、かつ、前記カウントがログイン済みの視聴者の構成員の数に等しくない場合に、前記視聴者の構成員に対して、前記視聴者構成員識別子の入力の注意喚起を行うこと；および、
前記ヒューリスティックが、前記視聴者の構成員が受信機の視聴者に含まれていることを示しており、かつ、前記カウントがログイン済みの視聴者の構成員の数に等しい場合に、前記視聴者の構成員の注意喚起を抑えること；
を含むことを特徴とする方法。
【請求項５５】
請求項第５４記載の方法であって、
前記ヒューリスティックを適用して、前記視聴者の構成員が受信機の視聴者に含まれているかについての決定を行うことが、前記視聴者の構成員が受信機の視聴者に含まれている確率の決定を行うことを含み、それにおいて前記視聴者の構成員に対して、前記視聴者構成員識別子の入力の注意喚起を行うことが、前記視聴者の構成員が受信機の視聴者に含まれている確率が、前記スレッショルドより小さく、かつ、前記カウントがログイン済みの視聴者の構成員の数に等しくない場合に、前記視聴者の構成員に対して、前記視聴者構成員識別子の入力の注意喚起を行うことを含み、前記視聴者の構成員の注意喚起を抑えることが、前記視聴者の構成員が受信機の視聴者に含まれている確率が、前記スレッショルドより大きく、かつ、前記カウントがログイン済みの視聴者の構成員の数に等しい場合に、前記視聴者の構成員の注意喚起を抑えることを含むことを特徴とする方法。
【請求項５６】
請求項５５記載の方法であって、
前記視聴者の構成員が受信機の視聴者に含まれている確率の決定を行うことが、対応する時間帯の間に、前記視聴者の構成員が受信機の視聴者に含まれていた回数に基づいて、前記視聴者の構成員が受信機の視聴者に含まれている確率の決定を行うことを含むことを特徴とする方法。
【請求項５７】
請求項５４記載の方法であって、
前記ヒューリスティックを適用して、前記視聴者の構成員が受信機の視聴者に含まれているかについての決定を行うことが、前記視聴者の構成員が受信機の視聴者に含まれていた回数、および、前記受信機がオンとなった回数の関数として変数の決定を行うことを含み、かつそれにおいて、前記視聴者の構成員に対して、前記視聴者構成員識別子の入力の注意喚起を行うことが、前記変数がスレッショルドより大きくなく、かつ、前記カウントがログイン済みの視聴者の構成員の数に等しくない場合に、前記視聴者の構成員に対して、前記視聴者構成員識別子の入力の注意喚起を行うことを含み、前記視聴者の構成員の注意喚起を抑えることが、前記変数がスレッショルドより大きく、かつ、前記カウントがログイン済みの視聴者の構成員の数に等しい場合に、前記視聴者の構成員の注意喚起を抑えることを含むことを特徴とする方法。
【請求項５８】
請求項５７に記載の方法であって、
前記変数の決定を行うことが、あらかじめ決定済みの時間帯の間における、前記視聴者の構成員が受信機の視聴者に含まれていた回数、および、前記あらかじめ決定済みの時間帯の間における、前記受信機がオンとなった回数の関数として変数の決定を行うことを含むことを特徴とする方法。
【請求項５９】
請求項５７記載の方法であって、
前記変数の決定を行うことが、あらかじめ決定済みの量の時間にわたるあらかじめ決定済みの時間帯の間における、前記視聴者の構成員が受信機の視聴者に含まれていた回数、および、前記あらかじめ決定済みの量の時間にわたるあらかじめ決定済みの時間帯の間における、前記受信機がオンとなった回数の関数として、前記変数の決定を行うことを含むことを特徴とする方法。
【請求項６０】
請求項５７記載の方法であって、
前記変数の決定を行うことが、あらかじめ決定済みの量の時間の間における、前記視聴者の構成員が受信機の視聴者に含まれていた回数、および、前記あらかじめ決定済みの量の時間の間における、前記受信機がオンとなった回数の関数として、前記変数の決定を行うことを含むことを特徴とする方法。
【請求項６１】
請求項５７記載の方法であって、
前記変数の決定を行うことが、あらかじめ決定済みの時間帯ごと、およびＳＩＤごとの、前記視聴者の構成員が受信機の視聴者に含まれていた回数、および、前記あらかじめ決定済みの時間帯ごと、および前記ＳＩＤごとの前記受信機がオンとなった回数の関数として前記変数の決定を行うことを含むことを特徴とする方法。
【請求項６２】
請求項５７記載の方法であって、
前記変数の決定を行うことが、あらかじめ決定済みの量の時間にわたるあらかじめ決定済みの時間帯ごと、およびＳＩＤごとの、前記視聴者の構成員が前記受信機の視聴者に含まれていた回数、および、前記あらかじめ決定済みの量の時間にわたる前記あらかじめ決定済みの時間帯ごと、および、前記ＳＩＤごとの、前記受信機がオンとなった回数の関数として、前記変数の決定を行うことを含むことを特徴とする方法。
【請求項６３】
請求項５７記載の方法であって、
前記変数の決定を行うことが、あらかじめ決定済みの量の時間の間におけるＳＩＤごとの、前記視聴者の構成員が前記受信機の視聴者に含まれていた回数、および、前記あらかじめ決定済みの量の時間の間における、前記ＳＩＤごとの、前記受信機がオンとなった回数の関数として、前記変数の決定を行うことを含むことを特徴とする方法。
【請求項６４】
請求項５７記載の方法であって、
前記変数の決定を行うことが、ＳＩＤごとの、前記視聴者の構成員が受信機の視聴者に含まれていた回数、および、前記ＳＩＤごとの、前記受信機がオンとなった回数の関数として前記変数の決定を行うことを含むことを特徴とする方法。
【請求項６５】
請求項５４記載の方法であって、
前記方法が、以前の注意喚起の決定からあらかじめ決定済みの量の時間が経過した後に限って実行されることを特徴とする方法。
【請求項６６】
請求項５４記載の方法であって：
前記受信機がオンになったことを検出すると、前記視聴者の構成員に対して、前記視聴者構成員識別子の入力の初期注意喚起を行うこと；および、
前記方法が、前記初期注意喚起からあらかじめ決定済みの量の時間が経過した後に限って実行されること；
を含むことを特徴とする方法。
【請求項６７】
請求項５４記載の方法であって：
視聴者識別データをテーブル内にストアすること；および、
前記テーブルが注意喚起の決定を行う上で不充分なデータを含む場合に、前記テーブルのコラプシングを行うこと；
を含むことを特徴とする方法。
【請求項６８】
視聴者の構成員に対して、視聴者メータに、視聴者構成員識別子の入力の注意喚起を行う方法であって：
チャネル選択の履歴ならびにチャネル選択のスタイルの両方に基づいて、前記視聴者の構成員が受信機の視聴者に含まれている確率の決定を行うこと；
前記視聴者の構成員が受信機の視聴者に含まれている確率が、前記スレッショルドより小さい場合に、前記視聴者の構成員に対して、前記視聴者構成員識別子の入力の注意喚起を行うこと；および、
前記視聴者の構成員が受信機の視聴者に含まれている確率が、前記スレッショルドより大きい場合に、前記視聴者の構成員の注意喚起を抑えること；
を含むことを特徴とする方法。
【請求項６９】
請求項６８記載の方法であって、
前記チャネル選択のスタイルがチャネル選択の速度を含むことを特徴とする方法。
【請求項７０】
請求項６８記載の方法であって、
前記チャネル選択のスタイルがチャネル選択の加速度を含むことを特徴とする方法。
【請求項７１】
請求項６８記載の方法であって、
前記チャネル選択のスタイルがチャネル選択の速度ならびにチャネル選択の加速度を含むことを特徴とする方法。
【請求項７２】
請求項６８記載の方法であって、
前記チャネル選択のスタイルがプログラムのクラスタリングを含むことを特徴とする方法。
【請求項７３】
請求項６８記載の方法であって、
前記方法が、以前の注意喚起の決定からあらかじめ決定済みの量の時間が経過した後に限って実行されることを特徴とする方法。
【請求項７４】
請求項６８記載の方法であって：
前記受信機がオンになったことを検出すると、前記視聴者の構成員に対して、前記視聴者構成員識別子の入力の初期注意喚起を行うこと；および、
前記方法が、前記初期注意喚起からあらかじめ決定済みの量の時間が経過した後に限って実行されること；
を含むことを特徴とする方法。
【請求項７５】
請求項６８記載の方法であって、
前記視聴者の構成員が受信機の視聴者に含まれている確率の決定を行うことが、対応する時間帯の間に、前記視聴者の構成員が受信機の視聴者に含まれていた回数に基づいて、前記視聴者の構成員が受信機の視聴者に含まれている確率の決定を行うことを含むことを特徴とする方法。
【請求項７６】
請求項６８記載の方法であって、
視聴者識別データをテーブル内にストアすること；および、
前記テーブルが注意喚起の決定を行う上で不充分なデータを含む場合に、前記テーブルのコラプシングを行うこと；
を含むことを特徴とする方法。
【請求項７７】
視聴者の構成員に対して、視聴者メータに、視聴者構成員識別子の入力の注意喚起を行う方法であって：
前記視聴者の構成員が受信機の視聴者に含まれていた回数および前記受信機がオンとなった回数の関数として変数の決定を行うこと；
チャネル選択のスタイルに基づいて前記視聴者の構成員が受信機の視聴者に含まれている確率の決定を行うこと；
前記変数が第１のスレッショルドより大きくなく、かつ、前記確率が、第２のスレッショルドより大きくない場合に、前記視聴者の構成員に対して、前記視聴者構成員識別子の入力の注意喚起を行うこと；および、
前記変数が、前記スレッショルドより大きく、かつ、前記確率が第２のスレッショルドより大きい場合に、前記視聴者の構成員の注意喚起を抑えること；
を含むことを特徴とする方法。
【請求項７８】
請求項７７記載の方法であって、
前記チャネル選択のスタイルがチャネル選択の速度を含むことを特徴とする方法。
【請求項７９】
請求項７７記載の方法であって、
前記チャネル選択のスタイルがチャネル選択の加速度を含むことを特徴とする方法。
【請求項８０】
請求項７７記載の方法であって、
前記チャネル選択のスタイルがチャネル選択の速度ならびにチャネル選択の加速度を含むことを特徴とする方法。
【請求項８１】
請求項７７記載の方法であって、
前記チャネル選択のスタイルがプログラムのクラスタリングを含むことを特徴とする方法。
【請求項８２】
請求項７７記載の方法であって、
前記変数の決定を行うことが、あらかじめ決定済みの時間帯の間における、前記視聴者の構成員が受信機の視聴者に含まれていた回数、および、前記あらかじめ決定済みの時間帯の間における、前記受信機がオンとなった回数の関数として変数の決定を行うことを含むことを特徴とする方法。
【請求項８３】
請求項７７記載の方法であって、
前記変数の決定を行うことが、あらかじめ決定済みの量の時間にわたるあらかじめ決定済みの時間帯の間における、前記視聴者の構成員が前記受信機の視聴者に含まれていた回数、および、前記あらかじめ決定済みの量の時間にわたるあらかじめ決定済みの時間帯の間における、前記受信機がオンとなった回数の関数として変数の決定を行うことを含むことを特徴とする方法。
【請求項８４】
請求項７７記載の方法であって、
前記変数の決定を行うことが、あらかじめ決定済みの量の時間の間における、前記視聴者の構成員が前記受信機の視聴者に含まれていた回数、および、前記あらかじめ決定済みの量の時間の間における、前記受信機がオンとなった回数の関数として変数の決定を行うことを含むことを特徴とする方法。
【請求項８５】
請求項７７記載の方法であって、
前記変数の決定を行うことが、あらかじめ決定済みの時間帯ごと、およびＳＩＤごとの、前記視聴者の構成員が受信機の視聴者に含まれていた回数、および、前記あらかじめ決定済みの時間帯ごと、および、前記ＳＩＤごとの、前記受信機がオンとなった回数の関数として前記変数の決定を行うことを含むことを特徴とする方法。
【請求項８６】
請求項７７記載の方法であって、
前記変数の決定を行うことが、あらかじめ決定済みの量の時間にわたるあらかじめ決定済みの時間帯ごと、およびＳＩＤごとの、前記視聴者の構成員が受信機の視聴者に含まれていた回数、および、前記あらかじめ決定済みの量の時間にわたるあらかじめ決定済みの時間帯ごと、および、前記ＳＩＤごとの、前記受信機がオンとなった回数の関数として前記変数の決定を行うことを含むことを特徴とする方法。
【請求項８７】
請求項７７記載の方法であって、
前記変数の決定を行うことが、あらかじめ決定済みの量の時間の間におけるＳＩＤごとの、前記視聴者の構成員が前記受信機の視聴者に含まれていた回数、および、前記あらかじめ決定済みの量の時間の間におけるＳＩＤごとの、前記受信機がオンとなった回数の関数として前記変数の決定を行うことを含むことを特徴とする方法。
【請求項８８】
請求項７７記載の方法であって、
前記変数の決定を行うことが、ＳＩＤごとの、前記視聴者の構成員が前記受信機の視聴者に含まれていた回数、および、前記ＳＩＤごとの、前記受信機がオンとなった回数の関数として、前記変数の決定を行うことを含むことを特徴とする方法。
【請求項８９】
請求項７７記載の方法であって、
前記方法が、以前の注意喚起の決定からあらかじめ決定済みの量の時間が経過した後に限って実行されることを特徴とする方法。
【請求項９０】
請求項７７記載の方法であって：
前記受信機がオンになったことを検出すると、前記視聴者の構成員に対して前記視聴者構成員識別子の入力の初期注意喚起を行うこと；および、
前記方法が、前記初期注意喚起からあらかじめ決定済みの量の時間が経過した後に限って実行されること；
を含むことを特徴とする方法。
【請求項９１】
機械読み取り可能なインストラクションを保存している製品であって、前記機械読み取り可能なインストラクションは、実行された時に、機械に、
視聴者の構成員が受信機の視聴者のなかにいる尤度を表す変数を決定させ；
前記尤度を表す変数がスレッショルド以下である場合に、前記視聴者の構成員に対して、視聴者構成員識別子を入力するように注意喚起を行わせ；
前記尤度を表す値が前記スレッショルドよりも大きい場合に、前記視聴者の構成員に対する注意喚起を抑制させる；
ことを特徴とする製品。
【請求項９２】
請求項９１記載の製品であって、前記機械読み取り可能なインストラクションは、前記視聴者の構成員が前記受信機の視聴者のなかにいる確率を計算することによって、前記機械に、前記視聴者の構成員が前記受信機の視聴者のなかにいる尤度を表す前記変数を決定させることを特徴とする製品。
【請求項９３】
請求項９２記載の製品であって、前記確率は、前記視聴者の構成員が、該当する時間帯に前記受信機の視聴者に含まれていたことがある回数に基づいて計算されることを特徴とする製品。
【請求項９４】
請求項９３記載の製品であって、前記確率は、前記該当する時間帯に前記受信機によって受信されている所定の番組に基づいて計算されることを特徴とする製品。
【請求項９５】
請求項９３記載の製品であって、前記確率は、所定のソース識別（ＳＩＤ）コードに基づいて計算されることを特徴とする製品。
【請求項９６】
請求項９１記載の製品であって、前記機械読み取り可能なインストラクションは、前記視聴者の構成員が、履歴上、前記受信機の視聴者に含まれていた回数に基づいて、前記機械に、前記視聴者の構成員が前記受信機の視聴者のなかにいる尤度を表す前記変数を決定させることを特徴とする製品。
【請求項９７】
請求項９６記載の製品であって、前記機械読み取り可能なインストラクションは、前記受信機がオンとなった回数に基づいて、前記機械に、前記視聴者の構成員が前記受信機の視聴者のなかにいる尤度を表す前記変数を決定させることを特徴とする製品。
【請求項９８】
請求項９６記載の製品であって、前記機械読み取り可能なインストラクションは、前記変数が、実質的に、現在の人員のカウントに等しい場合に、前記機械に、前記視聴者の構成員に対する注意喚起を抑制させることを特徴とする製品。
【請求項９９】
請求項９６記載の製品であって、前記視聴者の構成員が、履歴上、前記受信機の視聴者に含まれていた回数および前記受信機がオンとなった回数は、所定の時間帯を基準としていることを特徴とする製品。
【請求項１００】
請求項９６記載の製品であって、前記視聴者の構成員が、履歴上、前記受信機の視聴者に含まれていた回数および前記受信機がオンとなった回数は、所定のソース識別（ＳＩＤ）コードを基準としていることを特徴とする製品。
【請求項１０１】
請求項９６記載の製品であって、前記機械読み取り可能なインストラクションは、チャネル選択のスタイルまたはチャネル選択のパターンの少なくとも１つに基づいて、前記機械に、前記視聴者の構成員が前記受信機の視聴者のなかにいる尤度を表す前記変数を決定させることを特徴とする製品。
【請求項１０２】
請求項１０１記載の製品であって、前記チャネル選択のスタイルが、チャネル選択の速度、チャネル選択の加速度、またはプログラムのクラスタリングの少なくとも１つを含むことを特徴とする製品。
【請求項１０３】
請求項９１記載の製品であって、前記機械読み取り可能なインストラクションは、ヒューリスティックを用いて、前記機械に、前記視聴者の構成員が前記受信機の視聴者のなかにいる尤度を表す前記変数を決定させることを特徴とする製品。
【請求項１０４】
請求項１０３記載の製品であって、前記ヒューリスティックは、前記視聴者の構成員が前記視聴者に含まれていたことがある回数、視聴者の構成員のカウント、ログイン済みの視聴者の構成員の数、所定の時間帯、所定の番組、所定のソース識別（ＳＩＤ）コード、前記受信機がオンとなった回数、または前記視聴者の構成員がログインされているか否か、の少なくとも１つを利用することを特徴とする製品。
【請求項１０５】
請求項９１記載の製品であって、前記機械読み取り可能なインストラクションは、チャネル選択のスタイルに基づいて、前記機械に、前記視聴者の構成員が前記受信機の視聴者のなかにいる尤度を表す前記変数を決定させることを特徴とする製品。
【請求項１０６】
請求項１０５記載の製品であって、前記機械読み取り可能なインストラクションは、チャネル選択の履歴に基づいて、前記機械に、前記視聴者の構成員が前記受信機の視聴者のなかにいる尤度を表す前記変数を決定させることを特徴とする製品。
【請求項１０７】
請求項９１記載の製品であって、前記機械読み取り可能なインストラクションは、過去の視聴者構成およびチャネル選択の癖に基づいた尤度を計算することによって、前記機械に、前記視聴者の構成員が前記受信機の視聴者のなかにいる尤度を表す前記変数を決定させることを特徴とする製品。
【請求項１０８】
請求項９１記載の製品であって、前記機械読み取り可能なインストラクションは、前記視聴者の構成員が、すでに、前記視聴者構成員識別子を入力している場合に、前記機械に、前記視聴者の構成員に対する注意喚起を抑制させることを特徴とする製品。
【請求項１０９】
請求項９１記載の製品であって、前記機械読み取り可能なインストラクションは、前記機械に、注意喚起の各決定の間において、所定の長さの時間、待機させることを特徴とする製品。
【請求項１１０】
請求項１０９記載の製品であって、前記機械読み取り可能なインストラクションは、前記受信機がオンになったことを検出すると、前記機械に、前記視聴者の構成員に対して、前記視聴者構成員識別子を入力するように最初の注意喚起を行わせることを特徴とする製品。
【請求項１１１】
請求項９１記載の製品であって、前記機械読み取り可能なインストラクションは、間欠的な注意喚起イベントにおいて、前記機械に、注意喚起を行わせたり、注意喚起を抑制させたりすることを特徴とする製品。
【請求項１１２】
請求項１１１記載の製品であって、前記間欠的な注意喚起イベントは、標準的には期間Ｔによって互いに離隔されており、前記期間Ｔは、前記注意喚起に対する以前の応答に応じて変化することを特徴とする製品。
【請求項１１３】
請求項９１記載の製品であって、前記機械読み取り可能なインストラクションは、前記機械に、
前記受信機の視聴者に含まれる前記視聴者の構成員をカウントさせて、カウントを提供させ；
前記尤度を表す変数がスレッショルド以下であり、かつ前記カウントがログイン済みの視聴者の構成員の数に等しくない場合に、前記視聴者の構成員に対して、視聴者構成員識別子を入力するように注意喚起を行わせ；
前記尤度を表す値が前記スレッショルドよりも大きく、かつ前記カウントがログイン済みの視聴者の構成員の数に等しい場合に、前記視聴者の構成員に対する注意喚起を抑制させる；
ことを特徴とする製品。
【請求項１１４】
請求項９１記載の製品であって、前記機械読み取り可能なインストラクションは、前記機械に、
視聴者識別データをテーブル内に保存させ；
前記テーブルが注意喚起の決定を行う上で不充分なデータを含む場合に、前記テーブルのコラプシングを行わせる；
ことを特徴とする製品。
【請求項１１５】
請求項１１４記載の製品であって、前記テーブルの前記コラプシングに、前記視聴者構成員識別データの年齢に応じた重み付けが行われることを特徴とする製品。
【請求項１１６】
メモリと；前記メモリに連結されたプロセッサであって、
視聴者の構成員が受信機の視聴者のなかにいる尤度を表す変数を決定し、
前記尤度を表す変数がスレッショルド以下である場合に、前記視聴者の構成員に対して、視聴者構成員識別子を入力するように注意喚起を行い、
前記尤度を表す値が前記スレッショルドよりも大きい場合に、前記視聴者の構成員に対する注意喚起を抑制するようにプログラム設定されたプロセッサと；
を備えることを特徴とする装置。
【請求項１１７】
請求項１１６記載の装置であって、前記プロセッサは、前記視聴者の構成員が前記受信機の視聴者のなかにいる確率を計算することによって、前記視聴者の構成員が前記受信機の視聴者のなかにいる尤度を表す前記変数を決定するようにプログラム設定されていることを特徴とする装置。
【請求項１１８】
請求項１１７記載の装置であって、前記確率は、前記視聴者の構成員が、該当する時間帯に前記受信機の視聴者に含まれていたことがある回数に基づいて計算されることを特徴とする装置。
【請求項１１９】
請求項１１６記載の装置であって、前記プロセッサは、前記視聴者の構成員が、履歴上、前記受信機の視聴者に含まれていた回数に基づいて、前記視聴者の構成員が前記受信機の視聴者のなかにいる尤度を表す前記変数を決定するようにプログラム設定されていることを特徴とする装置。
【請求項１２０】
請求項１１９記載の装置であって、前記プロセッサは、前記受信機がオンとなった回数に基づいて、前記視聴者の構成員が前記受信機の視聴者のなかにいる尤度を表す前記変数を決定するようにプログラム設定されていることを特徴とする装置。
【請求項１２１】
請求項１１９記載の装置であって、前記プロセッサは、前記変数が、実質的に、現在の人員のカウントに等しい場合に、前記視聴者の構成員に対する注意喚起を抑制するようにプログラム設定されていることを特徴とする装置。
【請求項１２２】
請求項１１９記載の装置であって、前記プロセッサは、チャネル選択のスタイルまたはチャネル選択のパターンの少なくとも１つに基づいて、前記視聴者の構成員が前記受信機の視聴者のなかにいる尤度を表す前記変数を決定するようにプログラム設定されていることを特徴とする装置。
【請求項１２３】
請求項１２２記載の装置であって、前記チャネル選択のスタイルが、チャネル選択の速度、チャネル選択の加速度、またはプログラムのクラスタリングの少なくとも１つを含むことを特徴とする装置。
【請求項１２４】
請求項１１６記載の装置であって、前記プロセッサは、ヒューリスティックを用いて、前記視聴者の構成員が前記受信機の視聴者のなかにいる尤度を表す前記変数を決定するようにプログラム設定されていることを特徴とする装置。
【請求項１２５】
請求項１２４記載の装置であって、前記ヒューリスティックは、前記視聴者の構成員が前記視聴者に含まれていたことがある回数、視聴者の構成員のカウント、ログイン済みの視聴者の構成員の数、所定の時間帯、所定の番組、所定のソース識別（ＳＩＤ）コード、前記受信機がオンとなった回数、または前記視聴者の構成員がログインされているか否か、の少なくとも１つを利用することを特徴とする装置。
【請求項１２６】
請求項１１６記載の装置であって、前記プロセッサは、チャネル選択のスタイルに基づいて、前記視聴者の構成員が前記受信機の視聴者のなかにいる尤度を表す前記変数を決定するようにプログラム設定されていることを特徴とする装置。
【請求項１２７】
請求項１１６記載の装置であって、前記プロセッサは、過去の視聴者構成およびチャネル選択の癖に基づいた尤度を計算することによって、前記視聴者の構成員が前記受信機の視聴者のなかにいる尤度を表す前記変数を決定するようにプログラム設定されていることを特徴とする装置。
【請求項１２８】
請求項１１６記載の装置であって、前記プロセッサは、前記視聴者の構成員が、すでに、前記視聴者構成員識別子を入力している場合に、前記視聴者の構成員に対する注意喚起を抑制するようにプログラム設定されていることを特徴とする装置。
【請求項１２９】
請求項１１６記載の装置であって、前記プロセッサは、注意喚起の各決定の間において、所定の長さの時間、待機するようにプログラム設定されていることを特徴とする装置。
【請求項１３０】
請求項１１６記載の装置であって、前記プロセッサは、間欠的な注意喚起イベントにおいて、注意喚起を行ったり、注意喚起を抑制したりするようにプログラム設定されていることを特徴とする装置。
【請求項１３１】
請求項１３０記載の装置であって、前記間欠的な注意喚起イベントは、標準的には期間Ｔによって互いに離隔されており、前記期間Ｔは、前記注意喚起に対する以前の応答に応じて変化することを特徴とする装置。
【請求項１３２】
請求項１１６記載の装置であって、前記プロセッサは、
前記受信機の視聴者に含まれる前記視聴者の構成員をカウントして、カウントを提供し；
前記尤度を表す変数がスレッショルド以下であり、かつ前記カウントがログイン済みの視聴者の構成員の数に等しくない場合に、前記視聴者の構成員に対して、視聴者構成員識別子を入力するように注意喚起を行い；
前記尤度を表す値が前記スレッショルドよりも大きく、かつ前記カウントがログイン済みの視聴者の構成員の数に等しい場合に、前記視聴者の構成員に対する注意喚起を抑制する；
ようにプログラム設定されていることを特徴とする装置。
【請求項１３３】
請求項１１６記載の装置であって、前記プロセッサは、
視聴者識別データをテーブル内に保存し；
前記テーブルが注意喚起の決定を行う上で不充分なデータを含む場合に、前記テーブルのコラプシングを行う；
ようにプログラム設定されていることを特徴とする装置。
【請求項１３４】
視聴者の各構成員を区別する方法であって、
個人について、履歴上のチャネル選択の挙動を示すデータを記録し；
現在のチャネル選択の挙動を示すデータを記録し；
現在のチャネル選択の挙動を示す前記データを、履歴上のチャネル選択の挙動を示す前記データと比較することによって、前記個人が視聴者のなかにいるかどうかを判断する；
ことを特徴とする方法。
【請求項１３５】
請求項１３４記載の方法であって、履歴上のチャネル選択の挙動を示す前記データは、チャネル選択の速度、チャネル選択の加速度、チャネルクラスタ、チャネル選択時における中断、チャネル選択された番組のサブセット、視聴された番組の継続時間、視聴された受信機、または時間帯の少なくとも１つを含むことを特徴とする方法。
【請求項１３６】
請求項１３４記載の方法であって、履歴上のチャネル選択の挙動を示す前記データを記録する際に、履歴上のチャネル選択の挙動を示す前記データを前記個人と関連づけるために、周期的に注意喚起を行い、視聴者構成員識別子を要求することを特徴とする方法。
【請求項１３７】
請求項１３６記載の方法であって、周期的な各注意喚起の間における時間周期が、時間の経過に伴って拡大することを特徴とする方法。
【請求項１３８】
請求項１３６記載の方法であって、周期的な各注意喚起の間における時間周期が、前記記録されたデータの示差性によって決まることを特徴とする方法。
【請求項１３９】
機械読み取り可能なインストラクションを保存している製品であって、前記機械読み取り可能なインストラクションは、実行された時に、機械に、
個人について、履歴上のチャネル選択の挙動を示すデータを記録させ；
現在のチャネル選択の挙動を示すデータを記録させ；
現在のチャネル選択の挙動を示す前記データを、履歴上のチャネル選択の挙動を示す前記データと比較することによって、前記個人が視聴者のなかにいるかどうかを判断させる；
ことを特徴とする製品。
【請求項１４０】
請求項１３９記載の製品であって、履歴上のチャネル選択の挙動を示す前記データは、チャネル選択の速度、チャネル選択の加速度、チャネルクラスタ、チャネル選択時における中断、チャネル選択された番組のサブセット、視聴された番組の継続時間、視聴された受信機、または時間帯の少なくとも１つを含むことを特徴とする製品。
【請求項１４１】
請求項１３９記載の製品であって、前記機械読み取り可能なインストラクションは、履歴上のチャネル選択の挙動を示す前記データを前記個人と関連づけるために、前記機械に、周期的に注意喚起を行わせ、視聴者構成員識別子を要求させることを特徴とする製品。
【請求項１４２】
請求項１４１記載の製品であって、前記機械読み取り可能なインストラクションは、前記機械に、周期的な各注意喚起の間における時間周期を順次拡大させることを特徴とする製品。
【請求項１４３】
請求項１４１記載の製品であって、前記機械読み取り可能なインストラクションは、前記記録されたデータの示差性に基づいて、前記機械に、周期的な各注意喚起の間における時間周期を調整させることを特徴とする製品。
【請求項１４４】
メモリと；前記メモリに連結されたプロセッサであって、
個人について、履歴上のチャネル選択の挙動を示すデータを記録し、
現在のチャネル選択の挙動を示すデータを記録し、
現在のチャネル選択の挙動を示す前記データを、履歴上のチャネル選択の挙動を示す前記データと比較することによって、前記個人が視聴者のなかにいるかどうかを判断するようにプログラム設定されたプロセッサと；
を備えることを特徴とする装置。
【請求項１４５】
請求項１４４記載の装置であって、履歴上のチャネル選択の挙動を示す前記データは、チャネル選択の速度、チャネル選択の加速度、チャネルクラスタ、チャネル選択時における中断、チャネル選択された番組のサブセット、視聴された番組の継続時間、視聴された受信機、または時間帯の少なくとも１つを含むことを特徴とする装置。
【請求項１４６】
請求項１４４記載の装置であって、前記プロセッサは、履歴上のチャネル選択の挙動を示す前記データを前記個人と関連づけるために、周期的に注意喚起を行い、視聴者構成員識別子を要求するようにプログラム設定されていることを特徴とする装置。
【請求項１４７】
請求項１４６記載の装置であって、前記プロセッサは、周期的な各注意喚起の間における時間周期を順次拡大するようにプログラム設定されていることを特徴とする装置。
【請求項１４８】
請求項１４６記載の装置であって、前記プロセッサは、前記記録されたデータの示差性に基づいて、周期的な各注意喚起の間における時間周期を調整するようにプログラム設定されていることを特徴とする装置。
【請求項１４９】
視聴者の各構成員を区別する方法であって、
第１の視聴者の構成員に関連づけられた第１のデータセットを記録し；
第２の視聴者の構成員に関連づけられた第２のデータセットを記録し；
最新の視聴者入力セットを、前記第１および第２のデータセットと比較することによって、前記第１の視聴者の構成員または前記第２の視聴者の構成員が存在していることを識別する；
ことを特徴とする方法。
【請求項１５０】
請求項１４９記載の方法であって、前記最新の視聴者入力セットを、前記第１および第２のデータセットと比較する際に、前記第１および第２のデータセットの間における少なくとも１つの統計的な違いを用いることを特徴とする方法。
【請求項１５１】
請求項１４９記載の視聴者の各構成員を区別する方法であって、前記最新の視聴者入力セットを、前記第１および第２のデータセットと比較する際に、前記最新の視聴者入力セットにおける平均のチャネル変更率、瞬間的なチャネル変更率、チャネル変更の加速度、視聴されたチャネルのサブセット、チャネル視聴の継続時間、時間帯、またはチャネル変更の方向の少なくとも１つを、前記第１または第２のデータセットの少なくとも１つと比較することを特徴とする方法。
【請求項１５２】
請求項１４９記載の視聴者の各構成員を区別する方法であって、前記個人に関連づけられた前記データセットを記録する際に、記録されたデータを前記視聴者の構成員と関連づけるために、周期的に注意喚起を行い、視聴者構成員識別子を要求することを特徴とする方法。
【請求項１５３】
請求項１５２記載の視聴者の各構成員を区別する方法であって、周期的な各注意喚起の間における時間周期が、時間の経過に伴って拡大することを特徴とする方法。
【請求項１５４】
請求項１５２記載の視聴者の各構成員を区別する方法であって、周期的な各注意喚起の間における時間周期が、前記第１および第２のデータセットの間における統計的な示差性によって決まることを特徴とする方法。
【請求項１５５】
機械読み取り可能なインストラクションを保存している製品であって、前記機械読み取り可能なインストラクションは、実行された時に、機械に、
第１の視聴者の構成員に関連づけられた第１のデータセットを記録させ；
第２の視聴者の構成員に関連づけられた第２のデータセットを記録させ；
最新の視聴者入力セットを、前記第１および第２のデータセットと比較することによって、前記第１の視聴者の構成員または前記第２の視聴者の構成員が存在していることを識別させる；
ことを特徴とする製品。
【請求項１５６】
請求項１５５記載の製品であって、前記機械読み取り可能なインストラクションは、前記第１および第２のデータセットの間における少なくとも１つの統計的な違いを用いて、前記機械に、前記最新の視聴者入力セットを、前記第１および第２のデータセットと比較させることを特徴とする製品。
【請求項１５７】
請求項１５５記載の製品であって、前記機械読み取り可能なインストラクションは、前記最新の視聴者入力セットにおける平均のチャネル変更率、瞬間的なチャネル変更率、チャネル変更の加速度、視聴されたチャネルのサブセット、チャネル視聴の継続時間、時間帯、またはチャネル変更の方向の少なくとも１つを、前記第１または第２のデータセットの少なくとも１つと比較することによって、前記機械に、前記最新の視聴者入力セットを、前記第１および第２のデータセットと比較させることを特徴とする製品。
【請求項１５８】
請求項１５５記載の製品であって、前記機械読み取り可能なインストラクションは、記録されたデータを前記視聴者の構成員と関連づけるために、前記機械に、周期的に注意喚起を行わせ、視聴者構成員識別子を要求させることを特徴とする製品。
【請求項１５９】
請求項１５８記載の製品であって、前記機械読み取り可能なインストラクションは、前記機械に、周期的な各注意喚起の間における時間周期を順次拡大させることを特徴とする製品。
【請求項１６０】
請求項１５８記載の製品であって、前記機械読み取り可能なインストラクションは、前記第１および第２のデータセットの間における統計的な示差性に基づいて、前記機械に、周期的な各注意喚起の間における時間周期を調整させることを特徴とする製品。
【請求項１６１】
メモリと；前記メモリに連結されたプロセッサであって、
第１の視聴者の構成員に関連づけられた第１のデータセットを記録し、
第２の視聴者の構成員に関連づけられた第２のデータセットを記録し、
最新の視聴者入力セットを、前記第１および第２のデータセットと比較することによって、前記第１の視聴者の構成員または前記第２の視聴者の構成員が存在していることを識別するようにプログラム設定されたプロセッサと；
を備えることを特徴とする装置。
【請求項１６２】
請求項１６１記載の装置であって、前記プロセッサは、前記第１および第２のデータセットの間における少なくとも１つの統計的な違いを用いて、前記最新の視聴者入力セットを、前記第１および第２のデータセットと比較するようにプログラム設定されていることを特徴とする装置。
【請求項１６３】
請求項１６１記載の装置であって、前記プロセッサは、前記最新の視聴者入力セットにおける平均のチャネル変更率、瞬間的なチャネル変更率、チャネル変更の加速度、視聴されたチャネルのサブセット、チャネル視聴の継続時間、時間帯、またはチャネル変更の方向の少なくとも１つを、前記第１および第２のデータセットの少なくとも１つと比較することによって、前記最新の視聴者入力セットを、前記第１および第２のデータセットと比較するようにプログラム設定されていることを特徴とする装置。
【請求項１６４】
請求項１６１記載の装置であって、前記プロセッサは、記録されたデータを前記視聴者の構成員と関連づけるために、周期的に注意喚起を行い、視聴者構成員識別子を要求するようにプログラム設定されていることを特徴とする装置。
【請求項１６５】
請求項１６４記載の装置であって、前記プロセッサは、周期的な各注意喚起の間における時間周期を順次拡大するようにプログラム設定されていることを特徴とする装置。
【請求項１６６】
請求項１６４記載の装置であって、前記プロセッサは、前記第１および第２のデータセットの間における統計的な示差性に基づいて、周期的な各注意喚起の間における時間周期を調整するようにプログラム設定されていることを特徴とする装置。
【請求項１６７】
視聴者のなかに個人が存在していることを識別する方法であって、
一連のチャネル選択イベントを検出し；
前記チャネル選択イベントの連続する各対の間における経過時間に対応する一連の時間間隔を記録し；
前記一連の時間間隔に基づいて、前記チャネル選択イベントを生じさせている個人を識別する；
ことを特徴とする方法。
【請求項１６８】
請求項１６７記載の方法であって、前記個人を識別する際に、
前記一連の時間間隔を、複数の個人に関連づけられた各チャネル選択イベントの間における時間間隔の履歴記録と比較し；
前記比較に基づいて、前記チャネル選択イベントを生じさせている個人を識別する；
ことを特徴とする方法。
【請求項１６９】
請求項１６７記載の方法であって、さらに、
前記一連のチャネル選択イベントの各々に関連づけられた一連のチャネルまたは番組識別子を記録すること；または
前記一連のチャネル選択イベントの各々に関連づけられた一連の時間基準を記録すること；
の少なくとも１つを含むことを特徴とする方法。
【請求項１７０】
請求項１６９記載の方法であって、前記個人を識別する際に、
前記一連の時間間隔を、複数の個人に関連づけられた各チャネル選択イベントの間における時間間隔の履歴記録と比較し；
前記一連のチャネルまたは番組識別子を、チャネル選択されたチャネルまたは番組の履歴記録と比較し；
前記各比較に基づいて、前記チャネル選択イベントを生じさせている個人を識別する；
ことを特徴とする方法。
【請求項１７１】
請求項１６９記載の方法であって、前記個人を識別する際に、
前記一連の時間間隔を、複数の個人に関連づけられた各チャネル選択イベントの間における時間間隔の履歴記録と比較し；
前記一連の時間基準を、視聴時間の履歴記録と比較し；
前記各比較に基づいて、前記チャネル選択イベントを生じさせている個人を識別する；
ことを特徴とする方法。
【請求項１７２】
機械読み取り可能なインストラクションを保存している製品であって、前記機械読み取り可能なインストラクションは、実行された時に、機械に、
一連のチャネル選択イベントを検出させ；
前記チャネル選択イベントの連続する各対の間における経過時間に対応する一連の時間間隔を記録させ；
前記一連の時間間隔に基づいて、前記チャネル選択イベントを生じさせている個人を識別させる；
ことを特徴とする製品。
【請求項１７３】
請求項１７２記載の製品であって、前記機械読み取り可能なインストラクションは、
前記一連の時間間隔を、複数の個人に関連づけられた各チャネル選択イベントの間における時間間隔の履歴記録と比較し、
前記比較に基づいて、前記チャネル選択イベントを生じさせている個人を識別することによって、
前記機械に、前記個人を識別させることを特徴とする製品。
【請求項１７４】
請求項１７２記載の製品であって、前記機械読み取り可能なインストラクションは、前記機械に、
前記一連のチャネル選択イベントの各々に関連づけられた一連のチャネルまたは番組識別子を記録すること；または
前記一連のチャネル選択イベントの各々に関連づけられた一連の時間基準を記録すること；
の少なくとも１つを行わせることを特徴とする製品。
【請求項１７５】
請求項１７４記載の製品であって、前記機械読み取り可能なインストラクションは、
前記一連の時間間隔を、複数の個人に関連づけられた各チャネル選択イベントの間における時間間隔の履歴記録と比較し、
前記一連のチャネルまたは番組識別子を、チャネル選択されたチャネルまたは番組の履歴記録と比較し、
前記各比較に基づいて、前記チャネル選択イベントを生じさせている個人を識別することによって、
前記機械に、前記個人を識別させることを特徴とする製品。
【請求項１７６】
請求項１７４記載の製品であって、前記機械読み取り可能なインストラクションは、
前記一連の時間間隔を、複数の個人に関連づけられた各チャネル選択イベントの間における時間間隔の履歴記録と比較し、
前記一連の時間基準を、視聴時間の履歴記録と比較し、
前記各比較に基づいて、前記チャネル選択イベントを生じさせている個人を識別することによって、
前記機械に、前記個人を識別させることを特徴とする製品。
【請求項１７７】
メモリと；
前記メモリに連結されたプロセッサであって、
一連のチャネル選択イベントを検出し、
前記チャネル選択イベントの連続する各対の間における経過時間に対応する一連の時間間隔を記録し、
前記一連の時間間隔に基づいて、前記チャネル選択イベントを生じさせている個人を識別するようにプログラム設定されたプロセッサと；
を備えることを特徴とする装置。
【請求項１７８】
請求項１７７記載の装置であって、前記プロセッサは、
前記一連の時間間隔を、複数の個人に関連づけられた各チャネル選択イベントの間における時間間隔の履歴記録と比較し、
前記比較に基づいて、前記チャネル選択イベントを生じさせている個人を識別することによって、
前記個人を識別するようにプログラム設定されていることを特徴とする装置。
【請求項１７９】
請求項１７７記載の装置であって、前記プロセッサは、
前記一連のチャネル選択イベントの各々に関連づけられた一連のチャネルまたは番組識別子を記録すること；または
前記一連のチャネル選択イベントの各々に関連づけられた一連の時間基準を記録すること；
の少なくとも１つを行うようにプログラム設定されていることを特徴とする装置。
【請求項１８０】
請求項１７９記載の装置であって、前記プロセッサは、
前記一連の時間間隔を、複数の個人に関連づけられた各チャネル選択イベントの間における時間間隔の履歴記録と比較し、
前記一連のチャネルまたは番組識別子を、チャネル選択されたチャネルまたは番組の履歴記録と比較し、
前記各比較に基づいて、前記チャネル選択イベントを生じさせている個人を識別することによって、
前記個人を識別するようにプログラム設定されていることを特徴とする装置。
【請求項１８１】
請求項１７９記載の装置であって、前記プロセッサは、
前記一連の時間間隔を、複数の個人に関連づけられた各チャネル選択イベントの間における時間間隔の履歴記録と比較し、
前記一連の時間基準を、視聴時間の履歴記録と比較し、
前記各比較に基づいて、前記チャネル選択イベントを生じさせている個人を識別することによって、
前記個人を識別するようにプログラム設定されていることを特徴とする装置。
【手続補正２】
【補正対象書類名】明細書
【補正対象項目名】０００２
【補正方法】変更
【補正の内容】
【０００２】
視聴者調査の分野では、チャネル選択（tuning）のデータを測定するために、統計的に選択された複数の場所のそれぞれにおいて、番組の受信機をそれぞれ伴う測定装置を使用することが、一般的に行われている。番組の受信機には、テレビジョン受信機、ラジオ受信機、コンピュータ、および／またはそのほかの、空間、ケーブル・システム、衛星等を介して配信される番組のチャネル選択することの可能なデバイスが含まれる。チャネル選択データとしては、たとえば番組の受信機が選択されたチャネルまたは局の識別子（identity）および／または番組の受信機がチャネル選択した番組の識別子が挙げられる。また、受信機の実際の視聴者となっている視聴者の構成員が使用し、それらの視聴者の構成員が測定装置に対して各自の識別子を示すことが可能なマニュアル入力デバイスを提供することも一般的に行われている。このマニュアル入力は、しばしばＰｅｏｐｌｅｍｅｔｅｒ（ピープルメータ）の形式で提供されるが、これは、各視聴者の構成員による対応する視聴者の構成員の識別子をマニュアル入力で可能にするだけでなく、視聴者の構成員のいずれが現在その受信機の視聴者となっていることを表示したかについて示すためのビジュアル状態インジケータ（visual status indicator）も提供する。たとえば、このビジュアル状態インジケータは、受信機に隣接して配置され、かつその視聴者の構成員の視野内となるボックスの上に、選択的に点灯される複数の発光ダイオードを備えている。
【手続補正３】
【補正対象書類名】明細書
【補正対象項目名】０００８
【補正方法】変更
【補正の内容】
【０００８】
本発明の１つの形態によれば、視聴者の構成員に対して視聴者メータへの視聴者の構成員の識別子の入力の注意喚起を行う方法が：その視聴者の構成員が受信機の視聴者となっている確率の決定を行うこと；その視聴者の構成員が受信機の視聴者となっている確率がスレッショルドより小さい場合に、その視聴者の構成員に対して視聴者の構成員識別子の入力の注意喚起を行うこと；および、その視聴者の構成員が受信機の視聴者となっている確率がスレッショルドより大きい場合に、その視聴者の構成員の注意喚起を抑えること；を含む。
【手続補正４】
【補正対象書類名】明細書
【補正対象項目名】００１０
【補正方法】変更
【補正の内容】
【００１０】
本発明のまた別の側面によれば、視聴者の構成員に対して視聴者メータへの視聴者の構成員の識別子の入力の注意喚起を行う方法が：間欠的な注意喚起イベントにおいて、その視聴者の構成員に対して視聴者の構成員識別子の入力の注意喚起を行うこと；各注意喚起イベントにおいて、過去の視聴者構成およびチャネルの選択の癖を基礎として、その視聴者の構成員が受信機の視聴者に含まれている尤度の決定を行うこと；および、対応する注意喚起イベントにおいてなされた決定が、その視聴者の構成員が受信機の視聴者に含まれているらしいとするものである場合に、その視聴者の構成員の注意喚起を抑えること；を含む。
【手続補正５】
【補正対象書類名】明細書
【補正対象項目名】００１１
【補正方法】変更
【補正の内容】
【００１１】
本発明のさらに別の側面によれば、視聴者の構成員に対して視聴者メータへの視聴者の構成員識別子の入力の注意喚起を行う方法が：ヒューリスティック（heuristic）を適用してその視聴者の構成員が受信機の視聴者に含まれているかについての決定を行うこと；受信機の視聴者内の視聴者の構成員をカウントして、カウントを提供すること；ヒューリスティックによってその視聴者の構成員が受信機の視聴者に含まれていないことが示され、かつカウントがログイン済みの視聴者の構成員の数に等しくない場合に、その視聴者の構成員に対して視聴者の構成員識別子の入力の注意喚起を行うこと；および、ヒューリスティックによってその視聴者の構成員が受信機の視聴者に含まれていることが示され、かつカウントがログイン済みの視聴者の構成員の数に等しい場合に、その視聴者の構成員の注意喚起を抑えること；を含む。
【手続補正６】
【補正対象書類名】明細書
【補正対象項目名】００１２
【補正方法】変更
【補正の内容】
【００１２】
本発明のさらにまた別の側面によれば、視聴者の構成員に対して視聴者メータへの視聴者の構成員識別子の入力の注意喚起を行う方法が：チャネルの選択履歴ならびにチャネルの選択スタイルの両方に基づいてその視聴者の構成員が受信機の視聴者に含まれている確率の決定を行うこと；その視聴者の構成員が受信機の視聴者に含まれている確率がスレッショルドより小さい場合に、その視聴者の構成員に対して視聴者構成員識別子の入力の注意喚起を行うこと；および、その視聴者の構成員が受信機の視聴者に含まれている確率がスレッショルドより大きい場合に、その視聴者の構成員の注意喚起を抑えること；を含む。
【手続補正７】
【補正対象書類名】明細書
【補正対象項目名】００１３
【補正方法】変更
【補正の内容】
【００１３】
本発明のさらにまた別の側面によれば、視聴者の構成員に対して視聴者メータへの視聴者の構成員識別子の入力の注意喚起を行う方法が：その視聴者の構成員が受信機の視聴者に含まれていた回数および受信機がオンとなった回数の関数として変数の決定を行うこと；チャネルの選択スタイルに基づいて、その視聴者の構成員が受信機の視聴者に含まれている確率の決定を行うこと；変数が第１のスレッショルドより大きくなく、かつ、この確率が第２のスレッショルドより大きくない場合に、その視聴者の構成員に対して視聴者の構成員識別子の入力の注意喚起を行うこと；および、変数がスレッショルドより大きく、かつ、この確率が第２のスレッショルドより大きい場合に、その視聴者の構成員の注意喚起を抑えること；を含む。
【手続補正８】
【補正対象書類名】明細書
【補正対象項目名】００１９
【補正方法】変更
【補正の内容】
【００１９】
ポータブル・リモート・コントロール・デバイス１４は、受信機１６に隣接して取り付けられている測定装置２４へ構成員識別データを入力するためにも使用することができる。測定装置２４は、ポータブル・リモート・コントロール・デバイス１４から獲得した視聴者構成員識別データに加えて、従来の任意の方法に従って受信機１６からチャネル選択のデータを獲得するべく構成することができる。それに加えて、あるいはそれに代えて、ポータブル・リモート・コントロール・デバイス１４以外のデバイスから視聴者構成員識別データを入力することもできる。たとえば、前述したようにＰｅｏｐｌｅｍｅｔｅｒ（ピープルメータ）を使用して測定装置２４への構成員識別データの入力を行ってもよい。それに加えて、あるいはそれに代えて、測定装置２４の上に直接マウントされたスイッチの使用を介して視聴者構成員識別データを入力すること、または電子番組の・ガイド（ＥＰＧ）の使用を介して視聴者構成員識別データを測定装置２４へ入力することも可能である。ＥＰＧが使用される場合には、ＥＰＧの使用によりチャネル選択のデータを測定装置２４へ入力することもできる。獲得されたチャネル選択および視聴者構成員識別データは、当業者に周知の各種テクニックによってデータ収集中央局２２へ伝達することができる。
【手続補正９】
【補正対象書類名】明細書
【補正対象項目名】００２２
【補正方法】変更
【補正の内容】
【００２２】
上記に代えて、またはそれに加えて測定装置２４は、信号検出器３４から信号のレプリカ（replica）を受信することもできる。たとえばこの信号検出器３４を、発行済み米国特許第５，８８９，５４８号においてチャン（Ｃｈａｎ）によって開示されているようなビデオ信号ソース検出器の形式にしてもよい。このビデオ信号ソース検出器は、チャン（Ｃｈａｎ）出願における教示にあるように適当な場所に置かれ、受信機１６のＣＲＴへの入力からビデオ信号のレプリカを獲得する。
【手続補正１０】
【補正対象書類名】明細書
【補正対象項目名】００５５
【補正方法】変更
【補正の内容】
【００５５】
これに対してブロック１１４が、ログインしている人員の数が視聴者内にカウントされた人員の数に一致していると決定した場合には、ブロック１１８が、データ値ＣＯＵＮＴＳをデータ値ＴＵＯＣＣによって除した結果として変数ＮＵＭＢＥＲを決定する。データ値ＣＯＵＮＴＳは、現在の時間帯およびプログラム１００に対応する受信機によって受信されている番組の現在のＳＩＤに対応する、受信機の場所、時間帯、およびＳＩＤクラスに関するカウント行から得られる。たとえば、現在の時間帯が午前６時３０分であり、相応する受信機によって受信されている番組からのＳＩＤがＳＩＤクラス１１であり、かつ相応する受信機が寝室の受信機である場合には、ＣＯＵＮＴＳに関するデータ値が２０になる。
【手続補正１１】
【補正対象書類名】明細書
【補正対象項目名】００５７
【補正方法】変更
【補正の内容】
【００５７】
したがって、変数ＮＵＭＢＥＲは、２０／１９として決定される。変数ＮＵＭＢＥＲの決定に使用される分子もしくは分母のいずれかがあらかじめ決定されたスレッショルドを下回る場合には、予測の基礎となるＳＩＤテーブル内のデータが不充分であることから、このスレッショルドに達するまでテーブル内のセルを右から左へ（ＳＩＤ、続いて受信機の順で）コラプシングを行う必要が生じることがある。この種のデータ・コラプシングに続いて、変数ＮＵＭＢＥＲの再計算を行うことができる。
【手続補正１２】
【補正対象書類名】明細書
【補正対象項目名】００８４
【補正方法】変更
【補正の内容】
【００８４】
上記に加えて、視聴者の構成に変化を生じたとき、注意喚起なしに視聴者の構成員が、視聴者の構成をマニュアル更新することが望ましいと考えられる。注意喚起は、主として、注意喚起なしの変更がなく、かつ充分な時間が経過したときのフェイル‐セーフとして機能する。したがって、ブロック１１６によって使用される経過時間タイマは、注意喚起の有無にかかわらず、いずれかの視聴者の構成員の識別子が入力されるごとにリセットされるようにすればよい。